(57)【要約】【課題】動画のどのような面がどの程度評価されているのかを、ひと目で把握できるようにすること。【解決手段】動画ＭのシーンＭｓと当該シーンＭｓに関するキーワードＫｓとの関連付けを記憶した動画シーン情報記憶部と、動画Ｍへのハイパーリンクを伴う複数のブログ記事を検索するブログ記事検索手段と、当該検索した複数のブログ記事から動画Ｍに関するキーワードＫと、当該キーワードＫに関する評価語Ｈとを抽出する動画評価語抽出部と、シーンＭｓに関するキーワードＫｓと、動画Ｍに関するキーワードＫとが一致する場合、当該シーンＭｓと当該キーワードＫに関する評価語Ｈとを関連付ける動画シーンマッチング部と、当該関連付けたシーンＭｓと評価語Ｈとを関連付けて記憶する動画評価語記憶部と、シーンＭｓに関連付けられた評価語Ｈを動画評価語記憶部から読み出し当該評価語Ｈの統計をシーンＭｓごとに算出する動画評価語出力手段とを備えた。【選択図】図２
2010049384.tif 000002
【特許請求の範囲】
【請求項１】
動画Ｍに評価を与える方法において、
当該動画ＭのシーンＭｓと当該シーンＭｓに関するキーワードＫｓとの関連付けを記憶部に記憶し、
コンピュータが、
動画Ｍへのハイパーリンクを伴う複数のブログ記事を検索するブログ記事検索ステップと、
当該検索した複数のブログ記事から前記動画Ｍに関するキーワードＫと、当該キーワードＫに関する評価語Ｈとを抽出する評価語抽出ステップと、
前記シーンＭｓに関するキーワードＫｓと、前記動画Ｍに関するキーワードＫとが一致する場合、当該シーンＭｓと当該キーワードＫに関する評価語Ｈとを関連付けるシーンマッチングステップと、
当該関連付けたシーンＭｓと評価語Ｈとを関連付けて記憶部に記憶するシーン評価語記憶ステップと、
シーンＭｓに関連付けられた前記評価語Ｈを記憶部から読み出し当該評価語Ｈの統計をシーンＭｓごとに算出する評価算出ステップと、
を実行することを特徴とした動画評価方法。
【請求項２】
前記ブログ記事検索ステップにおいて、前記コンピュータは、
動画サイトの視聴者が当該動画サイトにおいて動画を選択した時、その選択した動画を前記動画Ｍとすることを特徴とした請求項１記載の動画評価方法。
【請求項３】
動画Ｍに評価を与える装置において、
当該動画ＭのシーンＭｓと当該シーンＭｓに関するキーワードＫｓとの関連付けを記憶した動画シーン情報記憶部と、
動画Ｍへのハイパーリンクを伴う複数のブログ記事を検索するブログ記事検索手段と、
当該検索した複数のブログ記事から前記動画Ｍに関するキーワードＫと、当該キーワードＫに関する評価語Ｈとを抽出する動画評価語抽出部と、
前記シーンＭｓに関するキーワードＫｓと、前記動画Ｍに関するキーワードＫとが一致する場合、当該シーンＭｓと当該キーワードＫに関する評価語Ｈとを関連付ける動画シーンマッチング部と、
当該関連付けたシーンＭｓと評価語Ｈとを関連付けて記憶する動画評価語記憶部と、
シーンＭｓに関連付けられた前記評価語Ｈを前記動画評価語記憶部から読み出し当該評価語Ｈの統計をシーンＭｓごとに算出する動画評価語出力手段と、
を備えたことを特徴とする動画評価語抽出装置。
【請求項４】
請求項１又は２記載の方法をコンピュータに実行させる動画評価プログラム。
【発明の詳細な説明】
【技術分野】
【０００１】
本発明は、動画の評価方法に関する。特に、インターネットに公開された動画を自動的に評価する方法に関する。
【背景技術】
【０００２】
近年、ＹｏｕＴｕｂｅ（登録商標）などのインターネット上の動画サイトが広く知られるようになった。動画サイトでは複数の動画が視聴可能となっており、動画を視聴した視聴者は、各動画に評価を与えることができる。
【非特許文献１】“動画にコメント＆評価を付けよう”、［ｏｎｌｉｎｅ］、ＹｏｕＴｕｂｅ  Ｆａｎ、［平成２０年７月２５日検索］、インターネット＜ＵＲＬ：ｈｔｔｐ：／／ｗｗｗ．ｙｏｕｔｕｂｅ−ｆａｎ．ｃｏｍ／５／２３／＞
【発明の開示】
【発明が解決しようとする課題】
【０００３】
しかしながら、動画に評価を付けるためには、視聴者が動画サイトにアクセスし、視聴する動画を検索し、その動画の視聴インターフェースに付属する評価入力欄に対し、所定の操作を行って評価を入力しなければならなかった。また、評価は、星の数などの数量だけで決められ、その情報だけでは動画のどのような面が評価されたのかを知ることはできなかった。また、評価とは別に視聴者がコメントを投稿する場合があり、そのコメントを読むことによって、動画のどのような面が評価されたのかを知ることは可能であるが、多くのコメント文を読む必要がある。
【０００４】
一方、インターネット上の情報発信媒体として、ブログが広く普及してきている。動画の視聴者は、特定の動画に対する評価をブログの記事として記載する場合がある。
【０００５】
本発明は、ブログ記事を利用することにより、動画のどのような面がどの程度評価されているのかを、ひと目で把握できるようにすることを課題とする。
【課題を解決するための手段】
【０００６】
本発明では、以下のような解決手段を提供する。
【０００７】
（１）動画Ｍに評価を与える方法において、当該動画ＭのシーンＭｓと当該シーンＭｓに関するキーワードＫｓとの関連付けを記憶部に記憶し、コンピュータが、動画Ｍへのハイパーリンクを伴う複数のブログ記事を検索するブログ記事検索ステップと、当該検索した複数のブログ記事から前記動画Ｍに関するキーワードＫと、当該キーワードＫに関する評価語Ｈとを抽出する評価語抽出ステップと、前記シーンＭｓに関するキーワードＫｓと、前記動画Ｍに関するキーワードＫとが一致する場合、当該シーンＭｓと当該キーワードＫに関する評価語Ｈとを関連付けるシーンマッチングステップと、当該関連付けたシーンＭｓと評価語Ｈとを関連付けて記憶部に記憶するシーン評価語記憶ステップと、シーンＭｓに関連付けられた前記評価語Ｈを記憶部から読み出し当該評価語Ｈの統計をシーンＭｓごとに算出する評価算出ステップと、を実行することを特徴とした動画評価方法。
【０００８】
本発明では、評価語抽出ステップと、シーン評価語記憶ステップが繰り返されることによって、動画ＭのシーンＭｓに関する複数の評価語がブログ記事から収集される。この複数の評価語の統計を動画ＭのシーンＭｓに関する評価として出力する。
【０００９】
これによると、ブログ記事から取得した動画の評価語を集計し、動画に関する評価語の統計を動画のシーンごとに視聴者に提供するので、従来のように動画を視聴した視聴者が動画サイトに評価を登録する必要はない。また、評価語を提示するので、動画のどのような面が評価されているのかを評価語からひと目で知ることができる。また、同じ評価語が何件あったかを表示するので、動画のどのような面がどの程度評価されているのかをひと目で知ることができる。
更に、本発明では、シーン毎に評価語が関連付けられ、シーン毎に評価語の統計を得ることができる。動画のシーン毎に評価語が提示されるので、評価語に基づき見たいシーンだけを選んで視聴することができる。
【００１０】
（２）前記ブログ記事検索ステップにおいて、前記コンピュータは、動画サイトの視聴者が当該動画サイトにおいて動画を選択した時、その選択した動画を前記動画Ｍとすることを特徴とした請求項１記載の動画評価方法。
【００１１】
本発明では、動画サイトにアクセスした視聴者が任意の動画を選択した時に、その選択した動画の情報が本発明のコンピュータに送られ、ブログ記事検索ステップにおいては、当該選択された動画が前記動画Ｍとして設定される。
【００１２】
これによると、動画サイトの視聴者が選択した動画についてだけ処理を行なうので、その他の動画については処理を省くことが可能となる。
【００１３】
（３）動画Ｍに評価を与える装置において、当該動画ＭのシーンＭｓと当該シーンＭｓに関するキーワードＫｓとの関連付けを記憶した動画シーン情報記憶部と、動画Ｍへのハイパーリンクを伴う複数のブログ記事を検索するブログ記事検索手段と、当該検索した複数のブログ記事から前記動画Ｍに関するキーワードＫと、当該キーワードＫに関する評価語Ｈとを抽出する動画評価語抽出部と、前記シーンＭｓに関するキーワードＫｓと、前記動画Ｍに関するキーワードＫとが一致する場合、当該シーンＭｓと当該キーワードＫに関する評価語Ｈとを関連付ける動画シーンマッチング部と、当該関連付けたシーンＭｓと評価語Ｈとを関連付けて記憶する動画評価語記憶部と、シーンＭｓに関連付けられた前記評価語Ｈを前記動画評価語記憶部から読み出し当該評価語Ｈの統計をシーンＭｓごとに算出する動画評価語出力手段と、を備えたことを特徴とする動画評価語抽出装置。
【００１４】
本発明では、動画Ｍに関する複数の評価語がブログ記事から収集される。この複数の評価語の統計を動画ＭのシーンＭｓに関する評価として出力する。
【００１５】
これによると、一または複数のブログ記事から取得した動画の評価語を集計し、動画に関する評価語の統計を視聴者に提供するので、従来のように動画を視聴した視聴者が動画サイトに評価を登録する必要はない。また、評価語を提示するので、動画のどのような面が評価されているのかを評価語からひと目で知ることができる。また、同じ評価語が何件あったかを表示するので、動画のどのような面がどの程度評価されているのかをひと目で知ることができる。
更に、本発明では、シーン毎に評価語が関連付けられ、シーン毎に評価語の統計を得ることができる。動画のシーン毎に評価語が提示されるので、評価語に基づき見たいシーンだけを選んで視聴することができる。
【００１６】
（４）（１）又は（２）に記載の方法をコンピュータに実行させる動画評価プログラム。
【００１７】
これによると、上記のプログラムをコンピュータにインストールし、実行させることにより、（１）または（２）の方法の機能を実現できる。
【発明の効果】
【００１８】
本発明によれば、動画Ｍに関する複数の評価語をブログ記事から収集し、この複数の評価語の統計を動画ＭのシーンＭｓに関する評価として出力するので、ブログ記事から取得した動画の評価語を集計し、動画に関する評価語の統計を視聴者に提供するので、動画のどのような面がどの程度評価されているのかをシーン毎にひと目で知ることができる。
【発明を実施するための最良の形態】
【００１９】
［１．第１実施形態］
【００２０】
以下、本発明の第１実施形態について図面を参照しながら説明する。
【００２１】
［１−１．動画評価システムの全体構成］
【００２２】
図１は、動画評価システムの全体構成図である。まず本実施形態の概要を述べると、閲覧端末２０を操作する視聴者が動画サイトにアクセスし特定の動画を選択すると、動画評価語抽出装置１０では、それまでにブログサーバに投稿されたブログ記事から上記選択された動画に関するブログ記事を検索し、検索したブログ記事からその動画に関する評価語を抽出する。そして、動画評価語抽出装置１０は、抽出した評価語の統計を算出し上記動画サイトに提供する。動画サイトに提供された評価語の統計は、上記動画を選択した視聴者の閲覧端末２０に提供される。視聴者はブログに投稿された評価語の統計を自動的に得ることができ、この評価語の統計に基づいて動画の視聴を決めることができる。
【００２３】
図１において、動画サイトＡ，Ｂは、動画をインターネットに配信している。この動画サイトＡ，Ｂは、視聴者が選択した動画を視聴者の閲覧端末２０に配信し再生させる。また、動画サイトＡ，Ｂは、動画に与えられた評価情報を視聴者の閲覧端末２０に提供し、視聴者が動画を選択する際の一助とする。
【００２４】
ブログサーバＡ，Ｂは、動画サイトＡ，Ｂの動画を視聴した視聴者等から当該視聴した動画に関するブログ記事の投稿を受け付ける。
【００２５】
閲覧端末２０は、ウェブブラウザを備え、動画サイトＡ，Ｂが配信する動画の視聴や、ブログサーバＡ，Ｂへのブログ記事の投稿などを行うことができるようになっている。
【００２６】
動画評価語抽出装置１０は、ブログサーバＡ，Ｂに投稿されたブログ記事から動画に関する評価語を抽出する。また、動画評価語抽出装置１０は、抽出した評価語の統計を集計し、その結果を動画サイトに提供する。
【００２７】
上記説明において、Ａ，Ｂの符号は、ブログサーバおよび動画サイトが複数存在することを示すために付したものであり、それ以上の意味を持たない。また、閲覧端末２０は一つしか図示していないが、実際は複数存在するものである。
【００２８】
［１−２．動画評価語抽出装置の構成］
【００２９】
図２は、動画評価語抽出装置１０の構成図である。ブログ記事取得手段１は、動画に関するブログ記事をブログサーバから取得する。動画に関するブログ記事としては、動画識別子（動画サイトのドメインおよび動画ファイルの識別子を含む）の記述を含むブログ記事が想定される。本実施形態において、ブログ記事取得手段１は、視聴者が選択した動画に関するブログ記事をブログサーバから検索する。視聴者が閲覧端末２０から動画サイトに接続し、当該動画サイトで配信中の動画を選択すると、その選択された動画の動画識別子が動画サイトからブログ記事取得手段１に通知されるようになっている。ブログ記事取得手段１がアクセスする検索先のブログサーバは、予め記憶部に登録したブログサーバのリストから順次選択し巡回することが考えられる。ブログ記事取得手段１は、選択された動画に関するブログ記事を１ないし複数のブログサーバから複数取得する。
【００３０】
ブログ記事記憶部２は、ブログ記事取得手段１が取得した複数のブログ記事を動画識別子に関連付けて格納する。
【００３１】
動画評価語抽出手段３は、ブログ記事記憶部２に格納されたブログ記事から形態素解析（自然文解析）の方法により、キーワード（名詞）と、そのキーワードに関する評価語（形容詞、感嘆語、否定語）とを抽出する。この動画評価語抽出手段３の構成については、後述する。
【００３２】
動画評価語記憶部４は、動画評価語抽出手段３が抽出した評価語を、その抽出元のブログ記事に関連する動画の動画識別子に関連付けて格納する。
【００３３】
動画評価語出力手段５は、動画評価語記憶部４に格納された評価語を集計した評価情報を、その評価の対象となった動画を配信している動画サイトに提供する。
【００３４】
図３は、動画評価語抽出手段３の構成図である。動画評価語抽出手段３は、動画のシーン毎に評価語を関連付けるようになっている。
【００３５】
動画評価語抽出部３１は、ブログ記事記憶部２に格納されたブログ記事から、形態素解析（自然文解析）の方法により、キーワード（名詞）と、そのキーワードに関する評価語（形容詞、感嘆語、否定語）とを抽出する。例えば、単文の主語をキーワードとし、同じ単文に含まれる形容詞、感嘆語または否定語を、そのキーワードに関する評価語であると推測することができる。
【００３６】
動画評価語保持部（記憶部）３２は、動画評価語抽出部３１が抽出したキーワードとそのキーワードに関する評価語とを抽出元のブログ記事に関連する動画の動画識別子に関連付けて格納する。
【００３７】
動画シーン情報記憶部３３は、動画の動画識別子と、その動画を時間軸において分割したシーンのシーン識別子と、そのシーンに関連するキーワード（そのシーンに登場する場所や人物の名前など）とを関連付けて格納している。この動画シーン情報の生成については後述する。
【００３８】
動画シーンマッチング部３４は、動画評価語保持部３２に格納されたレコードと、動画シーン情報記憶部３３に格納されたレコードとを突き合わせることにより、動画識別子およびキーワードが一致するレコードを抽出し、抽出した各レコードの動画識別子と、シーン識別子と、評価語とを関連付けて動画評価語記憶部４に格納する。
【００３９】
図４は、ブログ記事記憶部２に格納されるデータの構造を示している。ブログ記事記憶部２には、ブログ記事の本文とそのブログ記事に関連付けられた動画識別子とが関連付けて格納される。動画識別子は、動画サイトのＵＲＬと動画ファイルの識別子との組み合わせによって構成される。記事本文はテキストデータとして格納される。
【００４０】
図５は、動画評価語保持部３２に格納されるデータの構造を示している。動画評価語保持部３２には、動画識別子と、その動画に関するブログ記事から抽出したキーワードと、そのキーワードに関する評価語とが関連付けて格納される。動画識別子は、動画サイトのＵＲＬと動画ファイルの識別子との組み合わせによって構成される。
【００４１】
図６は、動画シーン情報記憶部３３に格納されるデータの構造を示している。動画シーン情報記憶部３３には、動画識別子と、その動画のシーンを識別するシーン識別子と、そのシーンに関連するキーワードとが関連付けて格納されている。動画識別子は、動画サイトのＵＲＬと動画ファイルの識別子との組み合わせによって構成される。シーン識別子は、シーンの通し番号と、そのシーンの開始タイム及び終了タイムを含んで構成される。キーワードは、各シーンに一つとは限らず、一つのシーンに複数のキーワードが関連付けられる場合がある。
【００４２】
図７は、動画評価語記憶部４に格納されるデータの構造を示している。動画評価語記憶部４には、動画識別子と、その動画のシーンを示すシーン識別子と、そのシーンに関連する評価語とが関連付けて格納される。動画識別子は、動画サイトのＵＲＬと動画ファイルの識別子との組み合わせによって構成される。シーン識別子は、シーンの通し番号と、そのシーンの開始タイム及び終了タイムを含んで構成される。
【００４３】
［１−３．動画評価語抽出装置の動作］
【００４４】
次に、本実施形態の動作を説明する。図８および図９は、動画評価語抽出装置１０が実行する処理のフローチャートである。図９は、図８のＳ４ステップの詳細を示している。
【００４５】
まず動画サイトの視聴者が閲覧端末２０を操作し、動画サイトＡで配信中の動画Ｍを選択したとする。すると、動画サイトＡのコンピュータは、視聴者が選択した動画Ｍの動画識別子として、動画サイトＡのＵＲＬと動画Ｍの識別子（動画００２とする）を動画評価語抽出装置１０に通知する。
【００４６】
動画評価語抽出装置１０では、ブログ記事取得手段１が、動画サイトＡから通知された動画Ｍの動画識別子を取得し、この動画識別子に関連付けられた複数のブログ記事をブログサーバＡ，Ｂから検索する（Ｓ１）。ブログ記事取得手段１は、検索したブログ記事を動画Ｍの動画識別子に関連付けてブログ記事記憶手段２に格納する（Ｓ２）。ブログ記事取得手段１は、Ｓ１ステップとＳ２ステップを繰り返すことにより、動画Ｍに関する複数のブログ記事を取得する。ここでは、図４に示すように、動画Ｍに関するブログ記事Ｄが多数検索されたものとし、各ブログ記事Ｄが、動画Ｍの動画識別子に関連付けられて格納されたものとする。
【００４７】
続いて、動画評価語抽出部３１が、ブログ記事記憶部２からブログ記事Ｄを読み出し、このブログ記事Ｄから、形態素解析（自然文解析）の方法により、キーワードＫ（名詞）と、そのキーワードに関する評価語Ｈ（形容詞、感嘆語または否定語）とを抽出する（Ｓ３）。動画評価語抽出手段３は、抽出したキーワードＫおよび評価語Ｈを動画Ｍの動画識別子に関連付けて動画評価語保持部３２に格納する。ここでは、図５に示すように、キーワード「○○○」の評価語として「リアル」、キーワード「△△△」の評価語として「面白い」のように、キーワードＫと評価語Ｈとを関連付けたレコードが多数得られたとする。
【００４８】
続いて、動画シーンマッチング部３４が、動画評価語保持部３２に格納されたレコードと、動画シーン情報記憶部３３に格納されたレコードとを突き合わせ、動画評価語保持部３２に格納されたキーワードＫと、動画シーン情報記憶部３３に格納されたキーワードＫｓとが一致するレコードを選択する（Ｓ４，Ｓ４１）。そして、動画シーンマッチング部３４は、キーワードＫとＫｓとが一致したレコードについて、動画Ｍの動画識別子と、シーン識別子Ｍｓと、評価語Ｈとを関連付けて動画評価語記憶部４に格納する（Ｓ４，Ｓ４２）。
【００４９】
ここでは、動画シーン情報記憶部３３に、図６に示す動画シーン情報が格納されているものとする。即ち、動画Ｍのシーン０１にはキーワード「□□□」が関連付けられ、動画Ｍのシーン０２にはキーワード「△△△」が関連付けられ、動画Ｍのシーン０３にはキーワード「○○○」と「×××」とが関連付けられ、同様に多数の関連付けが格納されているものとする。
【００５０】
この場合、動画評価語記憶部４には、図７に示すように、動画Ｍのシーン０２に対し「面白い」との評価が１０件、動画Ｍのシーン０３に対し「リアル」との評価が３件、同じく動画Ｍのシーン０３に対し「臨場感」ありとの評価が５件、等の評価が関連付けられたとする。
【００５１】
図５および図６を参照して更に具体的に述べると、例えば、図５に示す動画評価語保持部３２の１件目のレコードはキーワードが「○○○」であり、これを図６の動画シーン情報記憶部３３のレコードと突き合わせると、キーワード「○○○」はシーン０３のキーワードに一致する。そこで、ブログ記事から得た「○○○」は「リアル」との評価は、動画Ｍの特に「シーン０３」に与えられた評価であると予測し、「シーン０３」と評価語「リアル」とを関連付ける。このような処理により、動画評価語記憶部４に、図７に示す情報が格納されたものとする。
【００５２】
続いて、動画評価語出力手段５は、動画評価語記憶部４に格納された評価語をシーン毎に集計する（Ｓ５）。動画評価語出力手段５は、動画Ｍの同一のシーンに関連付けられた同一の評価語の数を集計する。図７の例では、「シーン０２」に関連付けられた「面白い」との評価語が１０件格納されているので、「シーン０２」について、評価語「面白い」は１０件と集計する。同様に、「シーン０３」について、評価語「リアル」は３件、評価語「臨場感」は５件と集計する。そして、動画評価語出力手段５は、動画Ｍの動画識別子と、各シーン毎の評価語の集計件数とを関連付けて、視聴者が動画Ｍを選択した動画サイト（ここでは動画サイトＡ）に出力する（Ｓ６）。送出先の動画サイトは、動画Ｍの動画識別子から知ることができる。
【００５３】
動画サイトＡのコンピュータは、動画評価語抽出装置１０から、動画Ｍの動画識別子と、動画Ｍの各シーン毎の評価語の集計件数とを受信すると、動画Ｍの各シーン毎に評価語の集計件数を表示するための表示制御情報を生成し、動画Ｍを選択した視聴者の閲覧端末２０に送信する。閲覧端末２０のコンピュータは、この表示制御情報を受信しブラウザ上で実行することにより、例えば、図１０に示す動画サイトＡのページを表示する。図１０において、動画、シーン０１、シーン０２、シーン０３と記載した囲みは、各動画に対応するジャケットまたはスクリーンショットの静止画の表示欄である。各シーンのスクリーンショットの下には、各シーンに関連付けられた評価語とその集計数が表示されるようになっている。「シーン０２」の評価語として「面白い」が１０件あったことを表示し、また、「シーン０３」の評価語として「臨場感」が５件、「リアル」が３件あったことを表示している。また、各評価語の文字フォントは、件数が多いほど大きいポイント数で表示するようになっている。
【００５４】
以上説明した第１実施形態によれば、ブログ記事から取得した動画の評価語を集計し、動画に関する評価語の統計を視聴者に提供するので、従来のように動画を視聴した視聴者が動画サイトに評価を登録する必要はない。また、評価語を提示するので、動画のどのような面が評価されているのかを評価語からひと目で知ることができる。また、同じ評価語が何件あったかを表示するので、動画のどのような面がどの程度評価されているのかをひと目で知ることができる。また、動画のシーン毎に評価語が提示されるので、評価語に基づき見たいシーンだけを選んで視聴することができる。
【００５５】
［２．第２実施形態］
【００５６】
次に、本発明の第２実施形態を説明する。第１実施形態は、視聴者が動画を選択すると、その選択された動画についてブログ記事を検索し、評価語を収集する。これによると、視聴者が動画を選択する都度、その動画に関する評価語の収集を行うので、視聴者は常に最新の評価語の統計を知ることができる。一方、視聴者が動画を選択してから評価語の取得処理を開始するので、視聴者が動画を選択してから視聴者にその動画に関する評価語が示されるまでのレスポンスが比較的遅くなる。そこで、これから説明する第２実施形態では、動画に関する評価語の収集と、視聴者への評価語の提供とを非同期で行う例を説明する。
【００５７】
［２−１．動画評価システムの全体構成］
【００５８】
図１は、本実施形態における動画評価システムの全体構成図である。この構成は第１実施形態と同一なので、説明を省略する。
【００５９】
［２−２．動画評価語抽出装置の構成］
【００６０】
図１１は、第２実施形態における動画評価語抽出装置１０の構成図である。ブログ記事取得手段１は、閲覧端末２０において視聴者が動画を選択するか否かに関わらず、独立したタイミングでブログサーバから動画に関するブログ記事を検索する。動画に関するブログ記事を検索するためには、動画識別子を指定する必要があるが、主な動画サイトのドメインを予め記憶部に登録しておくことにより、当該動画サイトのドメインを含むハイパーリンクを伴ったブログ記事を動画に関するブログ記事であると推測することができ、そのハイパーリンクのＵＲＬを動画識別子として取得することができる。
【００６１】
動画評価語抽出手段３も、ブログ記事取得手段１の動作タイミングとは独立して動作する。この場合、図４ないし図７に示した情報の例では、複数の動画サイトおよび複数の動画（即ち、複数の異なる動画識別子）に関するレコードが混在することになる。
【００６２】
また、本実施形態において、動画評価語出力手段５は、視聴者が閲覧端末２０を操作して動画サイトの動画を選択した時に作動する。視聴者が閲覧端末２０を操作し動画サイトにおいて動画を選択すると、動画サイトのコンピュータは、視聴者が選択した動画の動画識別子を動画評価語出力手段５に通知する。動画評価語出力手段５は、この通知を受けて作動し、通知された動画識別子に関連付けられたレコードが動画評価語記憶部４に存在する場合は、第１実施形態と同様にシーン毎の評価語を集計し、集計結果を動画サイトに送信する。
【００６３】
動画評価語抽出装置１０のその他の構成は第１実施形態と同一である。
【００６４】
［２−３．動画評価語抽出装置の動作］
【００６５】
図８のフローチャートにおいて、本実施形態では、ブログ記事取得手段１が、Ｓ１およびＳ２のステップを繰り返し実行する。その繰り返しにおいて、動画Ｍは、Ｓ２ステップの終了後に変更される場合がある。
【００６６】
また、このＳ１，Ｓ２ステップの実行とは独立したタイミングで、動画評価語抽出手段３が、Ｓ３およびＳ４ステップを繰り返し実行する。Ｓ５およびＳ６ステップは、前述のとおり、視聴者が閲覧端末２０を操作し動画サイトの任意の動画を選択した時に、動画評価語出力手段５によって実行される。
【００６７】
その他の動作は第１実施形態と同一である。
【００６８】
本実施形態によれば、視聴者が動画サイトの動画を選択してからその動画に関する評価語を得るまでの間に、動画評価語抽出装置１０はＳ５およびＳ６の処理だけを実行すればよいので、第１実施形態に比べ速やかなレスポンスを実現することができる。
【００６９】
また、動画に関する評価語の収集は、独立したタイミングで行われるため、第１実施形態に比べ多量の評価語を予め収集しておくことが可能となる。このため、評価語の統計を高い精度で知ることが可能となる。
【００７０】
［３．動画シーン情報の生成装置］
【００７１】
以上の第１実施形態および第２実施形態では、動画シーン情報記憶部３３に、動画シーン情報が予め格納されているという前提で話を進めたが、次に、動画シーン情報の生成について説明する。
【００７２】
［３−１．動画シーン情報生成装置の構成］
【００７３】
図１２は、動画シーン情報生成装置の構成図である。動画取得手段５１は、動画サイトから動画データを取得する。動画記憶部５２は、動画取得手段５１が取得した動画データを動画識別子に関連付けて記憶する。シーン分割手段５３は、動画記憶部５２に格納された動画データを時間軸の方向において複数のシーンに分割し、分割した各シーンのシーン識別子を元の動画の動画識別子に関連付けて動画シーン情報記憶部３３に登録する。シーン動画記憶部５４は、シーン分割手段５３によって分割された各シーンの動画データを、シーン識別子および動画識別子に関連付けて格納する。キーワード設定手段５５は、シーン動画記憶部５４に格納された各シーン毎に関連するキーワードを設定し、当該キーワードを各シーンの動画識別子およびシーン識別子に関連付けて動画シーン情報記憶部３３に登録する。
【００７４】
［３−２．シーンの分割方法］
【００７５】
シーン分割手段５３が動画データをシーンに分割する方法は、幾つか考えられる。まず、編集者がコンピュータを操作し、動画データを手作業でシーンに分割する方法が考えられる。また、予め設定したタイムで動画データを自動的に区切ってゆくことによって、複数のシーンに分割する方法が考えられる。また、動画音声を解析することによってシーンの分割点を判定する方法が考えられる。また、動画の連続するフレーム画像の属性値が一定の閾値を超えて大きく変化した時点でシーンを分割する方法などが考えられる。動画の時刻に応じてシーンを分割する技術としては、例えば、特開平２００５−２１０２５２号などがある。また、動画の音声に応じてシーンを分割する技術としては、例えば、公報特開平２００５−２６０３９１号公報などがある。
【００７６】
［３−３．キーワードの設定方法］
【００７７】
キーワード設定手段５５がシーンに応じたキーワードを設定する方法は、幾つか考えられる。まず、編集者がコンピュータを操作し、キーワードを手作業でシーンに関連付ける方法が考えられる。また、各シーン動画のセリフ音声を認識してテキスト化し、このセリフテキストから形態素解析（自然文解析）の方法によって、頻出のキーワード（名詞）を抽出し、シーンに関連付ける方法が考えられる。また、各シーン動画の字幕文字列を抽出し、この字幕テキストから形態素解析（自然文解析）の方法によって、頻出のキーワード（名詞）を抽出し、シーンに関連付ける方法が考えられる。
【００７８】
［３−４．各実施形態への適用］
【００７９】
第１実施形態では、視聴者が動画を選択したことを契機として、動画評価語抽出装置１０が作動した。このため、動画シーン情報生成装置も、視聴者が動画を選択したことを契機として、当該選択された動画について、動画シーン情報の生成を行うことが好ましい。この場合、上述したシーン分割方法およびキーワード設定方法のうち、編集者が手作業で行う方法は好適とは言えないので、その他の自動処理の方法を採用することが好ましい。また、この場合、動画取得手段５１は、動画サイトからブログ記事取得手段１に通知された動画識別子を利用して、動画サイトから動画データを取得することが考えられる。
【００８０】
一方、第２実施形態では、評価語の抽出処理と、動画サイトへの評価語の提供処理とを非同期で実行するので、上述したシーン分割方法およびキーワード設定方法は、編集者が手作業で行う方法も含めて採用が可能である。また、この場合、動画シーン情報生成装置は、動画評価語抽出装置１０が行う評価語抽出処理と同一の動画識別子の動画を処理してもよいし、動画評価語抽出装置１０が行う評価語抽出処理と異なる動画識別子の動画を処理してもよい。前者の場合、動画取得手段５１は、ブログ記事取得手段１から処理対象の動画識別子の通知を受け、当該動画識別子に対応する動画を動画サイトから取得することが考えられる。また、後者の場合、主な動画サイトのドメインを記憶部に登録しておき、当該登録されたドメインを巡回しながら動画を選択し処理することが考えられる。動画サイトのトップページには人気の動画がリストされていることが多いので、トップページにリストされている動画を対象として処理をしてもよい。
【００８１】
［４．ハードウェアの構成］
【００８２】
次に、上記各実施形態における動画評価語抽出装置１０および動画シーン情報生成装置として動作するコンピュータのハードウェア構成を説明する。
【００８３】
図１３は、本実施形態に係る動画評価語抽出装置１０および動画シーン情報生成装置として動作するコンピュータのハードウェア構成を示す図である。
このコンピュータは、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インターフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。尚、ハードディスク３７０、光ディスクドライブ３８０、並びに、半導体メモリ３９０はまとめて記憶装置４１０と呼ばれる。
【００８４】
制御部３００は、動画評価語抽出装置１０および動画シーン情報生成装置を統括的に制御する部分であり、ハードディスク３７０（後述）に記憶された各種プログラムを適宜読み出して実行することにより、上述したハードウェアと協働し、上記実施形態に係る各種機能を実現している。
【００８５】
通信Ｉ／Ｆ３３０は、動画評価語抽出装置１０および動画シーン情報生成装置が、インターネット（図１）を介してブログサーバや動画サイト等（図１）と情報を送受信する場合のネットワーク・アダプタである。通信Ｉ／Ｆ３３０は、モデム、ケーブル・モデム及びイーサネット（登録商標）・アダプタを含んでよい。
【００８６】
ＢＩＯＳ３５０は、動画評価語抽出装置１０および動画シーン情報生成装置の起動時にＣＰＵ３１０が実行するブートプログラムや、動画評価語抽出装置１０および動画シーン情報生成装置がハードウェアに依存するプログラム等を記録する。
【００８７】
Ｉ／Ｏコントローラ３６０には、ハードディスク３７０、光ディスクドライブ３８０、及び半導体メモリ３９０等の記憶装置４１０を接続することができる。
【００８８】
ハードディスク３７０は、本ハードウェアを動画評価語抽出装置１０および動画シーン情報生成装置として機能させるための各種プログラム、本発明の機能を実行するプログラム及びデータを記憶する。なお、動画評価語抽出装置１０および動画シーン情報生成装置は、外部に別途設けたハードディスク（図示せず）を外部記憶装置として利用することもできる。
【００８９】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラムまたはデータを読み取り、Ｉ／Ｏコントローラ３６０を介してメインメモリ３４０またはハードディスク３７０に提供することもできる。
【００９０】
なお、本発明でいうコンピュータとは、記憶装置、制御部等を備えた情報処理装置をいい、動画評価語抽出装置１０および動画シーン情報生成装置は、記憶装置４１０、制御部３００等を備えた情報処理装置により構成され、この情報処理装置は、本発明のコンピュータの概念に含まれる。
【００９１】
この動画評価語抽出装置１０および動画シーン情報生成装置では、制御部３００が各手段に対応し、記憶装置４１０の記憶領域が各記憶部に対応する。
【００９２】
図１に示すブログサーバのコンピュータ、動画サイトのコンピュータおよび閲覧端末のコンピュータも、上述したコンピュータのハードウェアと同様な構成を持つ。
【００９３】
以上、本発明の実施形態について説明したが、本発明は上述した実施形態に限るものではない。例えば、上記各実施形態において、視聴者が選択した動画の動画識別子を動画サイトから取得しているが、視聴者の閲覧端末から取得してもよい。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００９４】
【図１】本発明の動画評価語抽出装置を含む動画評価システムの全体構成を示す図である。
【図２】本発明の第１実施形態における動画評価語抽出装置の構成図である。
【図３】図２および図１２に示す動画評価語抽出手段の構成図である。
【図４】図３に示すブログ記事記憶部のデータ構造図である。
【図５】図３に示す動画評価語保持部のデータ構造図である。
【図６】図３に示す動画シーン情報記憶部のデータ構造図である。
【図７】図３に示す動画評価語記憶部のデータ構造図である。
【図８】動画評価語抽出装置が実行する処理のフローチャートである。
【図９】図８に示すＳ４ステップのフローチャートである。
【図１０】図１の閲覧端末における動画評価の表示例を示す表示構成図である。
【図１１】本発明の第２実施形態における動画評価語抽出装置の構成図である。
【図１２】動画シーン情報生成装置の構成図である。
【図１３】動画評価語抽出装置１０および動画シーン情報生成装置として動作するコンピュータのハードウェア構成図である。
【符号の説明】
【００９５】
１  ブログ記事取得手段
２  ブログ記事記憶部
３  動画評価語抽出手段
４  動画評価語記憶部
５  動画評価語出力手段
１０  動画評価語抽出装置
２０  閲覧端末
３１  動画評価語抽出部
３２  動画評価語保持部
３３  動画シーン情報記憶部
３４  動画シーンマッチング部
【図１】
2010049384.tif 000003
【図２】
2010049384.tif 000004
【図３】
2010049384.tif 000005
【図４】
2010049384.tif 000006
【図５】
2010049384.tif 000007
【図６】
2010049384.tif 000008
【図７】
2010049384.tif 000009
【図８】
2010049384.tif 000010
【図９】
2010049384.tif 000011
【図１０】
2010049384.tif 000012
【図１１】
2010049384.tif 000013
【図１２】
2010049384.tif 000014
【図１３】
2010049384.tif 000015
【手続補正書】
【提出日】平成21年9月18日(2009.9.18)
【手続補正１】
【補正対象書類名】明細書
【補正対象項目名】全文
【補正方法】変更
【補正の内容】
【発明の詳細な説明】
【技術分野】
【０００１】
本発明は、動画の評価方法、装置及びプログラムに関する。特に、インターネットに公開された動画を自動的に評価する方法、装置及びプログラムに関する。
【背景技術】
【０００２】
近年、ＹｏｕＴｕｂｅ（登録商標）などのインターネット上の動画サイトが広く知られるようになった。動画サイトでは複数の動画が視聴可能となっており、動画を視聴した視聴者は、各動画に評価を与えることができる。
【非特許文献１】"動画にコメント＆評価を付けよう"、［ｏｎｌｉｎｅ］、ＹｏｕＴｕｂｅ  Ｆａｎ、［平成２０年７月２５日検索］、インターネット＜ＵＲＬ：ｈｔｔｐ：／／ｗｗｗ．ｙｏｕｔｕｂｅ−ｆａｎ．ｃｏｍ／５／２３／＞
【発明の開示】
【発明が解決しようとする課題】
【０００３】
しかしながら、動画に評価を付けるためには、視聴者が動画サイトにアクセスし、視聴する動画を検索し、その動画の視聴インターフェースに付属する評価入力欄に対し、所定の操作を行って評価を入力しなければならなかった。また、評価は、星の数などの数量だけで決められ、その情報だけでは動画のどのような面が評価されたのかを知ることはできなかった。また、評価とは別に視聴者がコメントを投稿する場合があり、そのコメントを読むことによって、動画のどのような面が評価されたのかを知ることは可能であるが、多くのコメント文を読む必要がある。
【０００４】
一方、インターネット上の情報発信媒体として、ブログが広く普及してきている。動画の視聴者は、特定の動画に対する評価をブログの記事として記載する場合がある。
【０００５】
本発明は、ブログ記事を利用することにより、動画のどのような面がどの程度評価されているのかを、ひと目で把握できるようにすることを課題とする。
【課題を解決するための手段】
【０００６】
本発明では、以下のような解決手段を提供する。
【０００７】
（１）動画Ｍに評価を与える方法において、当該動画ＭのシーンＭｓと当該シーンＭｓに関するキーワードＫｓとの関連付けを記憶部に記憶し、コンピュータが、動画Ｍへのハイパーリンクを伴う複数のブログ記事を検索するブログ記事検索ステップと、当該検索した複数のブログ記事から前記動画Ｍに関するキーワードＫと、当該キーワードＫに関する評価語Ｈとを抽出する評価語抽出ステップと、前記シーンＭｓに関するキーワードＫｓと、前記動画Ｍに関するキーワードＫとが一致する場合、当該シーンＭｓと当該キーワードＫに関する評価語Ｈとを関連付けるシーンマッチングステップと、当該関連付けたシーンＭｓと評価語Ｈとを関連付けて記憶部に記憶するシーン評価語記憶ステップと、シーンＭｓに関連付けられた前記評価語Ｈを記憶部から読み出し当該評価語Ｈの統計をシーンＭｓごとに算出する評価算出ステップと、を実行することを特徴とした動画評価方法。
【０００８】
本発明では、評価語抽出ステップと、シーン評価語記憶ステップが繰り返されることによって、動画ＭのシーンＭｓに関する複数の評価語がブログ記事から収集される。この複数の評価語の統計を動画ＭのシーンＭｓに関する評価として出力する。
【０００９】
これによると、ブログ記事から取得した動画の評価語を集計し、動画に関する評価語の統計を動画のシーンごとに視聴者に提供するので、従来のように動画を視聴した視聴者が動画サイトに評価を登録する必要はない。また、評価語を提示するので、動画のどのような面が評価されているのかを評価語からひと目で知ることができる。また、同じ評価語が何件あったかを表示するので、動画のどのような面がどの程度評価されているのかをひと目で知ることができる。
更に、本発明では、シーン毎に評価語が関連付けられ、シーン毎に評価語の統計を得ることができる。動画のシーン毎に評価語が提示されるので、評価語に基づき見たいシーンだけを選んで視聴することができる。
【００１０】
（２）前記ブログ記事検索ステップにおいて、前記コンピュータは、動画サイトの視聴者が当該動画サイトにおいて動画を選択した時、その選択した動画を前記動画Ｍとすることを特徴とした（１）記載の動画評価方法。
【００１１】
本発明では、動画サイトにアクセスした視聴者が任意の動画を選択した時に、その選択した動画の情報が本発明のコンピュータに送られ、ブログ記事検索ステップにおいては、当該選択された動画が前記動画Ｍとして設定される。
【００１２】
これによると、動画サイトの視聴者が選択した動画についてだけ処理を行なうので、その他の動画については処理を省くことが可能となる。
【００１３】
（３）動画Ｍに評価を与える装置において、当該動画ＭのシーンＭｓと当該シーンＭｓに関するキーワードＫｓとの関連付けを記憶した動画シーン情報記憶部と、動画Ｍへのハイパーリンクを伴う複数のブログ記事を検索するブログ記事検索手段と、当該検索した複数のブログ記事から前記動画Ｍに関するキーワードＫと、当該キーワードＫに関する評価語Ｈとを抽出する動画評価語抽出部と、前記シーンＭｓに関するキーワードＫｓと、前記動画Ｍに関するキーワードＫとが一致する場合、当該シーンＭｓと当該キーワードＫに関する評価語Ｈとを関連付ける動画シーンマッチング部と、当該関連付けたシーンＭｓと評価語Ｈとを関連付けて記憶する動画評価語記憶部と、シーンＭｓに関連付けられた前記評価語Ｈを前記動画評価語記憶部から読み出し当該評価語Ｈの統計をシーンＭｓごとに算出する動画評価語出力手段と、を備えたことを特徴とする動画評価語抽出装置。
【００１４】
本発明では、動画Ｍに関する複数の評価語がブログ記事から収集される。この複数の評価語の統計を動画ＭのシーンＭｓに関する評価として出力する。
【００１５】
これによると、一または複数のブログ記事から取得した動画の評価語を集計し、動画に関する評価語の統計を視聴者に提供するので、従来のように動画を視聴した視聴者が動画サイトに評価を登録する必要はない。また、評価語を提示するので、動画のどのような面が評価されているのかを評価語からひと目で知ることができる。また、同じ評価語が何件あったかを表示するので、動画のどのような面がどの程度評価されているのかをひと目で知ることができる。
更に、本発明では、シーン毎に評価語が関連付けられ、シーン毎に評価語の統計を得ることができる。動画のシーン毎に評価語が提示されるので、評価語に基づき見たいシーンだけを選んで視聴することができる。
【００１６】
（４）（１）又は（２）に記載の方法をコンピュータに実行させる動画評価プログラム。
【００１７】
これによると、上記のプログラムをコンピュータにインストールし、実行させることにより、（１）または（２）の方法の機能を実現できる。
【発明の効果】
【００１８】
本発明によれば、動画Ｍに関する複数の評価語をブログ記事から収集し、この複数の評価語の統計を動画ＭのシーンＭｓに関する評価として出力するので、ブログ記事から取得した動画の評価語を集計し、動画に関する評価語の統計を視聴者に提供するので、動画のどのような面がどの程度評価されているのかをシーン毎にひと目で知ることができる。
【発明を実施するための最良の形態】
【００１９】
［１．第１実施形態］
以下、本発明の第１実施形態について図面を参照しながら説明する。
【００２０】
［１−１．動画評価システムの全体構成］
図１は、動画評価システムの全体構成図である。まず本実施形態の概要を述べると、閲覧端末２０を操作する視聴者が動画サイトにアクセスし特定の動画を選択すると、動画評価語抽出装置１０では、それまでにブログサーバに投稿されたブログ記事から上記選択された動画に関するブログ記事を検索し、検索したブログ記事からその動画に関する評価語を抽出する。そして、動画評価語抽出装置１０は、抽出した評価語の統計を算出し上記動画サイトに提供する。動画サイトに提供された評価語の統計は、上記動画を選択した視聴者の閲覧端末２０に提供される。視聴者はブログに投稿された評価語の統計を自動的に得ることができ、この評価語の統計に基づいて動画の視聴を決めることができる。
【００２１】
図１において、動画サイトＡ，Ｂは、動画をインターネットに配信している。この動画サイトＡ，Ｂは、視聴者が選択した動画を視聴者の閲覧端末２０に配信し再生させる。また、動画サイトＡ，Ｂは、動画に与えられた評価情報を視聴者の閲覧端末２０に提供し、視聴者が動画を選択する際の一助とする。
【００２２】
ブログサーバＡ，Ｂは、動画サイトＡ，Ｂの動画を視聴した視聴者等から当該視聴した動画に関するブログ記事の投稿を受け付ける。
【００２３】
閲覧端末２０は、ウェブブラウザを備え、動画サイトＡ，Ｂが配信する動画の視聴や、ブログサーバＡ，Ｂへのブログ記事の投稿などを行うことができるようになっている。
【００２４】
動画評価語抽出装置１０は、ブログサーバＡ，Ｂに投稿されたブログ記事から動画に関する評価語を抽出する。また、動画評価語抽出装置１０は、抽出した評価語の統計を集計し、その結果を動画サイトに提供する。
【００２５】
上記説明において、Ａ，Ｂの符号は、ブログサーバ及び動画サイトが複数存在することを示すために付したものであり、それ以上の意味を持たない。また、閲覧端末２０は一つしか図示していないが、実際は複数存在するものである。
【００２６】
［１−２．動画評価語抽出装置の構成］
図２は、動画評価語抽出装置１０の構成図である。ブログ記事取得手段１は、動画に関するブログ記事をブログサーバから取得する。動画に関するブログ記事としては、動画識別子（動画サイトのドメイン及び動画ファイルの識別子を含む）の記述を含むブログ記事が想定される。本実施形態において、ブログ記事取得手段１は、視聴者が選択した動画に関するブログ記事をブログサーバから検索する。視聴者が閲覧端末２０から動画サイトに接続し、当該動画サイトで配信中の動画を選択すると、その選択された動画の動画識別子が動画サイトからブログ記事取得手段１に通知されるようになっている。ブログ記事取得手段１がアクセスする検索先のブログサーバは、予め記憶部に登録したブログサーバのリストから順次選択し巡回することが考えられる。ブログ記事取得手段１は、選択された動画に関するブログ記事を１ないし複数のブログサーバから複数取得する。
【００２７】
ブログ記事記憶部２は、ブログ記事取得手段１が取得した複数のブログ記事を動画識別子に関連付けて格納する。
【００２８】
動画評価語抽出手段３は、ブログ記事記憶部２に格納されたブログ記事から形態素解析（自然文解析）の方法により、キーワード（名詞）と、そのキーワードに関する評価語（形容詞、感嘆語、否定語）とを抽出する。この動画評価語抽出手段３の構成については、後述する。
【００２９】
動画評価語記憶部４は、動画評価語抽出手段３が抽出した評価語を、その抽出元のブログ記事に関連する動画の動画識別子に関連付けて格納する。
【００３０】
動画評価語出力手段５は、動画評価語記憶部４に格納された評価語を集計した評価情報を、その評価の対象となった動画を配信している動画サイトに提供する。
【００３１】
図３は、動画評価語抽出手段３の構成図である。動画評価語抽出手段３は、動画のシーン毎に評価語を関連付けるようになっている。
【００３２】
動画評価語抽出部３１は、ブログ記事記憶部２に格納されたブログ記事から、形態素解析（自然文解析）の方法により、キーワード（名詞）と、そのキーワードに関する評価語（形容詞、感嘆語、否定語）とを抽出する。例えば、単文の主語をキーワードとし、同じ単文に含まれる形容詞、感嘆語または否定語を、そのキーワードに関する評価語であると推測することができる。
【００３３】
動画評価語保持部（記憶部）３２は、動画評価語抽出部３１が抽出したキーワードとそのキーワードに関する評価語とを抽出元のブログ記事に関連する動画の動画識別子に関連付けて格納する。
【００３４】
動画シーン情報記憶部３３は、動画の動画識別子と、その動画を時間軸において分割したシーンのシーン識別子と、そのシーンに関連するキーワード（そのシーンに登場する場所や人物の名前など）とを関連付けて格納している。この動画シーン情報の生成については後述する。
【００３５】
動画シーンマッチング部３４は、動画評価語保持部３２に格納されたレコードと、動画シーン情報記憶部３３に格納されたレコードとを突き合わせることにより、動画識別子及びキーワードが一致するレコードを抽出し、抽出した各レコードの動画識別子と、シーン識別子と、評価語とを関連付けて動画評価語記憶部４に格納する。
【００３６】
図４は、ブログ記事記憶部２に格納されるデータの構造を示している。ブログ記事記憶部２には、ブログ記事の本文とそのブログ記事に関連付けられた動画識別子とが関連付けて格納される。動画識別子は、動画サイトのＵＲＬと動画ファイルの識別子との組み合わせによって構成される。記事本文はテキストデータとして格納される。
【００３７】
図５は、動画評価語保持部３２に格納されるデータの構造を示している。動画評価語保持部３２には、動画識別子と、その動画に関するブログ記事から抽出したキーワードＫと、そのキーワードＫに関する評価語Ｈとが関連付けて格納される。動画識別子は、動画サイトのＵＲＬと動画ファイルの識別子との組み合わせによって構成される。
【００３８】
図６は、動画シーン情報記憶部３３に格納されるデータの構造を示している。動画シーン情報記憶部３３には、動画識別子と、その動画のシーンを識別するシーン識別子と、そのシーンに関連するキーワードＫｓとが関連付けて格納されている。動画識別子は、動画サイトのＵＲＬと動画ファイルの識別子との組み合わせによって構成される。シーン識別子は、シーンの通し番号と、そのシーンの開始タイム及び終了タイムを含んで構成される。キーワードＫｓは、各シーンに一つとは限らず、一つのシーンに複数のキーワードが関連付けられる場合がある。
【００３９】
図７は、動画評価語記憶部４に格納されるデータの構造を示している。動画評価語記憶部４には、動画識別子と、その動画のシーンを示すシーン識別子と、そのシーンに関連する評価語Ｈとが関連付けて格納される。動画識別子は、動画サイトのＵＲＬと動画ファイルの識別子との組み合わせによって構成される。シーン識別子は、シーンの通し番号と、そのシーンの開始タイム及び終了タイムを含んで構成される。
【００４０】
［１−３．動画評価語抽出装置の動作］
次に、本実施形態の動作を説明する。図８及び図９は、動画評価語抽出装置１０が実行する処理のフローチャートである。図９は、図８のＳ４ステップの詳細を示している。
【００４１】
まず動画サイトの視聴者が閲覧端末２０を操作し、動画サイトＡで配信中の動画Ｍを選択したとする。すると、動画サイトＡのコンピュータは、視聴者が選択した動画Ｍの動画識別子として、動画サイトＡのＵＲＬと動画Ｍの動画識別子（動画００２とする）を動画評価語抽出装置１０に通知する。
【００４２】
動画評価語抽出装置１０では、ブログ記事取得手段１が、動画サイトＡから通知された動画Ｍの動画識別子を取得し、この動画識別子に関連付けられた複数のブログ記事をブログサーバＡ，Ｂから検索する（Ｓ１）。ブログ記事取得手段１は、検索したブログ記事を動画Ｍの動画識別子に関連付けてブログ記事記憶手段２に格納する（Ｓ２）。ブログ記事取得手段１は、Ｓ１ステップとＳ２ステップを繰り返すことにより、動画Ｍに関する複数のブログ記事を取得する。ここでは、図４に示すように、動画Ｍに関するブログ記事が多数検索されたものとし、各ブログ記事が、動画Ｍの動画識別子に関連付けられて格納されたものとする。
【００４３】
続いて、動画評価語抽出部３１が、ブログ記事記憶部２からブログ記事を読み出し、このブログ記事から、形態素解析（自然文解析）の方法により、キーワードＫ（名詞）と、そのキーワードＫに関する評価語Ｈ（形容詞、感嘆語または否定語）とを抽出する（Ｓ３）。動画評価語抽出手段３は、抽出したキーワードＫ及び評価語Ｈを動画Ｍの動画識別子に関連付けて動画評価語保持部３２に格納する。ここでは、図５に示すように、キーワードＫ「○○○」の評価語Ｈとして「リアル」、キーワードＫ「△△△」の評価語Ｈとして「面白い」のように、キーワードＫと評価語Ｈとを関連付けたレコードが多数得られたとする。
【００４４】
続いて、動画シーンマッチング部３４が、動画評価語保持部３２に格納されたレコードと、動画シーン情報記憶部３３に格納されたレコードとを突き合わせ、動画評価語保持部３２に格納されたキーワードＫと、動画シーン情報記憶部３３に格納されたキーワードＫｓとが一致するレコードを選択する（Ｓ４，Ｓ４１）。そして、動画シーンマッチング部３４は、キーワードＫとＫｓとが一致したレコードについて、動画Ｍの動画識別子と、シーン識別子と、評価語Ｈとを関連付けて動画評価語記憶部４に格納する（Ｓ４，Ｓ４２）。
【００４５】
ここでは、動画シーン情報記憶部３３に、図６に示す動画シーン情報が格納されているものとする。即ち、動画Ｍのシーン０１にはキーワード「□□□」が関連付けられ、動画Ｍのシーン０２にはキーワード「△△△」が関連付けられ、動画Ｍのシーン０３にはキーワード「○○○」と「×××」とが関連付けられ、同様に多数の関連付けが格納されているものとする。
【００４６】
この場合、動画評価語記憶部４には、図７に示すように、動画Ｍのシーン０２に対し「面白い」との評価が１０件、動画Ｍのシーン０３に対し「リアル」との評価が３件、同じく動画Ｍのシーン０３に対し「臨場感」ありとの評価が５件、等の評価が関連付けられたとする。
【００４７】
図５及び図６を参照して更に具体的に述べると、例えば、図５に示す動画評価語保持部３２の１件目のレコードはキーワードＫが「○○○」であり、これを図６の動画シーン情報記憶部３３のレコードと突き合わせると、キーワードＫ「○○○」はシーン０３のキーワードＫｓに一致する。そこで、ブログ記事から得た「○○○」は「リアル」との評価は、動画Ｍの特に「シーン０３」に与えられた評価であると予測し、「シーン０３」と評価語「リアル」とを関連付ける。このような処理により、動画評価語記憶部４に、図７に示す情報が格納されたものとする。
【００４８】
続いて、動画評価語出力手段５は、動画評価語記憶部４に格納された評価語をシーン毎に集計する（Ｓ５）。動画評価語出力手段５は、動画Ｍの同一のシーンに関連付けられた同一の評価語の数を集計する。図７の例では、「シーン０２」に関連付けられた「面白い」との評価語が１０件格納されているので、「シーン０２」について、評価語「面白い」は１０件と集計する。同様に、「シーン０３」について、評価語「リアル」は３件、評価語「臨場感」は５件と集計する。そして、動画評価語出力手段５は、動画Ｍの動画識別子と、各シーン毎の評価語の集計件数とを関連付けて、視聴者が動画Ｍを選択した動画サイト（ここでは動画サイトＡ）に出力する（Ｓ６）。送出先の動画サイトは、動画Ｍの動画識別子から知ることができる。
【００４９】
動画サイトＡのコンピュータは、動画評価語抽出装置１０から、動画Ｍの動画識別子と、動画Ｍの各シーン毎の評価語の集計件数とを受信すると、動画Ｍの各シーン毎に評価語の集計件数を表示するための表示制御情報を生成し、動画Ｍを選択した視聴者の閲覧端末２０に送信する。閲覧端末２０のコンピュータは、この表示制御情報を受信しブラウザ上で実行することにより、例えば、図１０に示す動画サイトＡのページを表示する。図１０において、動画、シーン０１、シーン０２、シーン０３と記載した囲みは、各動画に対応するジャケットまたはスクリーンショットの静止画の表示欄である。各シーンのスクリーンショットの下には、各シーンに関連付けられた評価語とその集計数が表示されるようになっている。「シーン０２」の評価語として「面白い」が１０件あったことを表示し、また、「シーン０３」の評価語として「臨場感」が５件、「リアル」が３件あったことを表示している。また、各評価語の文字フォントは、件数が多いほど大きいポイント数で表示するようになっている。
【００５０】
以上説明した第１実施形態によれば、ブログ記事から取得した動画の評価語を集計し、動画に関する評価語の統計を視聴者に提供するので、従来のように動画を視聴した視聴者が動画サイトに評価を登録する必要はない。また、評価語を提示するので、動画のどのような面が評価されているのかを評価語からひと目で知ることができる。また、同じ評価語が何件あったかを表示するので、動画のどのような面がどの程度評価されているのかをひと目で知ることができる。また、動画のシーン毎に評価語が提示されるので、評価語に基づき見たいシーンだけを選んで視聴することができる。
【００５１】
［２．第２実施形態］
次に、本発明の第２実施形態を説明する。第１実施形態は、視聴者が動画を選択すると、その選択された動画についてブログ記事を検索し、評価語を収集する。これによると、視聴者が動画を選択する都度、その動画に関する評価語の収集を行うので、視聴者は常に最新の評価語の統計を知ることができる。一方、視聴者が動画を選択してから評価語の取得処理を開始するので、視聴者が動画を選択してから視聴者にその動画に関する評価語が示されるまでのレスポンスが比較的遅くなる。そこで、これから説明する第２実施形態では、動画に関する評価語の収集と、視聴者への評価語の提供とを非同期で行う例を説明する。
【００５２】
［２−１．動画評価システムの全体構成］
図１は、本実施形態における動画評価システムの全体構成図である。この構成は第１実施形態と同一なので、説明を省略する。
【００５３】
［２−２．動画評価語抽出装置の構成］
図１１は、第２実施形態における動画評価語抽出装置１０の構成図である。ブログ記事取得手段１は、閲覧端末２０において視聴者が動画を選択するか否かに関わらず、独立したタイミングでブログサーバから動画に関するブログ記事を検索する。動画に関するブログ記事を検索するためには、動画識別子を指定する必要があるが、主な動画サイトのドメインを予め記憶部に登録しておくことにより、当該動画サイトのドメインを含むハイパーリンクを伴ったブログ記事を動画に関するブログ記事であると推測することができ、そのハイパーリンクのＵＲＬを動画識別子として取得することができる。
【００５４】
動画評価語抽出手段３も、ブログ記事取得手段１の動作タイミングとは独立して動作する。この場合、図４ないし図７に示した情報の例では、複数の動画サイト及び複数の動画（即ち、複数の異なる動画識別子）に関するレコードが混在することになる。
【００５５】
また、本実施形態において、動画評価語出力手段５は、視聴者が閲覧端末２０を操作して動画サイトの動画を選択した時に作動する。視聴者が閲覧端末２０を操作し動画サイトにおいて動画を選択すると、動画サイトのコンピュータは、視聴者が選択した動画の動画識別子を動画評価語出力手段５に通知する。動画評価語出力手段５は、この通知を受けて作動し、通知された動画識別子に関連付けられたレコードが動画評価語記憶部４に存在する場合は、第１実施形態と同様にシーン毎の評価語を集計し、集計結果を動画サイトに送信する。
【００５６】
動画評価語抽出装置１０のその他の構成は第１実施形態と同一である。
【００５７】
［２−３．動画評価語抽出装置の動作］
図８のフローチャートにおいて、本実施形態では、ブログ記事取得手段１が、Ｓ１及びＳ２のステップを繰り返し実行する。その繰り返しにおいて、動画Ｍは、Ｓ２ステップの終了後に変更される場合がある。
【００５８】
また、このＳ１，Ｓ２ステップの実行とは独立したタイミングで、動画評価語抽出手段３が、Ｓ３及びＳ４ステップを繰り返し実行する。Ｓ５及びＳ６ステップは、前述のとおり、視聴者が閲覧端末２０を操作し動画サイトの任意の動画を選択した時に、動画評価語出力手段５によって実行される。
【００５９】
その他の動作は第１実施形態と同一である。
【００６０】
本実施形態によれば、視聴者が動画サイトの動画を選択してからその動画に関する評価語を得るまでの間に、動画評価語抽出装置１０はＳ５及びＳ６の処理だけを実行すればよいので、第１実施形態に比べ速やかなレスポンスを実現することができる。
【００６１】
また、動画に関する評価語の収集は、独立したタイミングで行われるため、第１実施形態に比べ多量の評価語を予め収集しておくことが可能となる。このため、評価語の統計を高い精度で知ることが可能となる。
【００６２】
［３．動画シーン情報の生成装置］
以上の第１実施形態及び第２実施形態では、動画シーン情報記憶部３３に、動画シーン情報が予め格納されているという前提で話を進めたが、次に、動画シーン情報の生成について説明する。
【００６３】
［３−１．動画シーン情報生成装置の構成］
図１２は、動画シーン情報生成装置の構成図である。動画取得手段５１は、動画サイトから動画データを取得する。動画記憶部５２は、動画取得手段５１が取得した動画データを動画識別子に関連付けて記憶する。シーン分割手段５３は、動画記憶部５２に格納された動画データを時間軸の方向において複数のシーンに分割し、分割した各シーンのシーン識別子を元の動画の動画識別子に関連付けて動画シーン情報記憶部３３に登録する。シーン動画記憶部５４は、シーン分割手段５３によって分割された各シーンの動画データを、シーン識別子及び動画識別子に関連付けて格納する。キーワード設定手段５５は、シーン動画記憶部５４に格納された各シーン毎に関連するキーワードを設定し、当該キーワードを各シーンの動画識別子及びシーン識別子に関連付けて動画シーン情報記憶部３３に登録する。
【００６４】
［３−２．シーンの分割方法］
シーン分割手段５３が動画データをシーンに分割する方法は、幾つか考えられる。まず、編集者がコンピュータを操作し、動画データを手作業でシーンに分割する方法が考えられる。また、予め設定したタイムで動画データを自動的に区切ってゆくことによって、複数のシーンに分割する方法が考えられる。また、動画音声を解析することによってシーンの分割点を判定する方法が考えられる。また、動画の連続するフレーム画像の属性値が一定の閾値を超えて大きく変化した時点でシーンを分割する方法などが考えられる。動画の時刻に応じてシーンを分割する技術としては、例えば、特開２００５−２１０２５２号などがある。また、動画の音声に応じてシーンを分割する技術としては、例えば、特開２００５−２６０３９１号公報などがある。
【００６５】
［３−３．キーワードの設定方法］
キーワード設定手段５５がシーンに応じたキーワードを設定する方法は、幾つか考えられる。まず、編集者がコンピュータを操作し、キーワードを手作業でシーンに関連付ける方法が考えられる。また、各シーン動画のセリフ音声を認識してテキスト化し、このセリフテキストから形態素解析（自然文解析）の方法によって、頻出のキーワード（名詞）を抽出し、シーンに関連付ける方法が考えられる。また、各シーン動画の字幕文字列を抽出し、この字幕テキストから形態素解析（自然文解析）の方法によって、頻出のキーワード（名詞）を抽出し、シーンに関連付ける方法が考えられる。
【００６６】
［３−４．各実施形態への適用］
第１実施形態では、視聴者が動画を選択したことを契機として、動画評価語抽出装置１０が作動した。このため、動画シーン情報生成装置も、視聴者が動画を選択したことを契機として、当該選択された動画について、動画シーン情報の生成を行うことが好ましい。この場合、上述したシーン分割方法及びキーワード設定方法のうち、編集者が手作業で行う方法は好適とは言えないので、その他の自動処理の方法を採用することが好ましい。また、この場合、動画取得手段５１は、動画サイトからブログ記事取得手段１に通知された動画識別子を利用して、動画サイトから動画データを取得することが考えられる。
【００６７】
一方、第２実施形態では、評価語の抽出処理と、動画サイトへの評価語の提供処理とを非同期で実行するので、上述したシーン分割方法及びキーワード設定方法は、編集者が手作業で行う方法も含めて採用が可能である。また、この場合、動画シーン情報生成装置は、動画評価語抽出装置１０が行う評価語抽出処理と同一の動画識別子の動画を処理してもよいし、動画評価語抽出装置１０が行う評価語抽出処理と異なる動画識別子の動画を処理してもよい。前者の場合、動画取得手段５１は、ブログ記事取得手段１から処理対象の動画識別子の通知を受け、当該動画識別子に対応する動画を動画サイトから取得することが考えられる。また、後者の場合、主な動画サイトのドメインを記憶部に登録しておき、当該登録されたドメインを巡回しながら動画を選択し処理することが考えられる。動画サイトのトップページには人気の動画がリストされていることが多いので、トップページにリストされている動画を対象として処理をしてもよい。
【００６８】
［４．ハードウェアの構成］
次に、上記各実施形態における動画評価語抽出装置１０及び動画シーン情報生成装置として動作するコンピュータのハードウェア構成を説明する。
【００６９】
図１３は、本実施形態に係る動画評価語抽出装置１０及び動画シーン情報生成装置として動作するコンピュータのハードウェア構成を示す図である。
このコンピュータは、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インターフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０及び半導体メモリ３９０を備える。尚、ハードディスク３７０、光ディスクドライブ３８０及び半導体メモリ３９０はまとめて記憶装置４１０と呼ばれる。
【００７０】
制御部３００は、動画評価語抽出装置１０及び動画シーン情報生成装置を統括的に制御する部分であり、ハードディスク３７０（後述）に記憶された各種プログラムを適宜読み出して実行することにより、上述したハードウェアと協働し、上記実施形態に係る各種機能を実現している。
【００７１】
通信Ｉ／Ｆ３３０は、動画評価語抽出装置１０及び動画シーン情報生成装置が、インターネット（図１）を介してブログサーバや動画サイト等（図１）と情報を送受信する場合のネットワーク・アダプタである。通信Ｉ／Ｆ３３０は、モデム、ケーブル・モデム及びイーサネット（登録商標）・アダプタを含んでよい。
【００７２】
ＢＩＯＳ３５０は、動画評価語抽出装置１０及び動画シーン情報生成装置の起動時にＣＰＵ３１０が実行するブートプログラムや、動画評価語抽出装置１０及び動画シーン情報生成装置がハードウェアに依存するプログラム等を記録する。
【００７３】
Ｉ／Ｏコントローラ３６０には、ハードディスク３７０、光ディスクドライブ３８０、及び半導体メモリ３９０等の記憶装置４１０を接続することができる。
【００７４】
ハードディスク３７０は、本ハードウェアを動画評価語抽出装置１０及び動画シーン情報生成装置として機能させるための各種プログラム、本発明の機能を実行するプログラム及びデータを記憶する。なお、動画評価語抽出装置１０及び動画シーン情報生成装置は、外部に別途設けたハードディスク（図示せず）を外部記憶装置として利用することもできる。
【００７５】
光ディスクドライブ３８０としては、例えば、ＤＶＤ−ＲＯＭドライブ、ＣＤ−ＲＯＭドライブ、ＤＶＤ−ＲＡＭドライブ及びＣＤ−ＲＡＭドライブを使用することができる。この場合は各ドライブに対応した光ディスク４００を使用する。光ディスク４００から光ディスクドライブ３８０によりプログラムまたはデータを読み取り、Ｉ／Ｏコントローラ３６０を介してメインメモリ３４０またはハードディスク３７０に提供することもできる。
【００７６】
なお、本発明でいうコンピュータとは、記憶装置、制御部等を備えた情報処理装置をいい、動画評価語抽出装置１０及び動画シーン情報生成装置は、記憶装置４１０、制御部３００等を備えた情報処理装置により構成され、この情報処理装置は、本発明のコンピュータの概念に含まれる。
【００７７】
この動画評価語抽出装置１０及び動画シーン情報生成装置では、制御部３００が各手段に対応し、記憶装置４１０の記憶領域が各記憶部に対応する。
【００７８】
図１に示すブログサーバのコンピュータ、動画サイトのコンピュータ及び閲覧端末のコンピュータも、上述したコンピュータのハードウェアと同様な構成を持つ。
【００７９】
以上、本発明の実施形態について説明したが、本発明は上述した実施形態に限るものではない。例えば、上記各実施形態において、視聴者が選択した動画の動画識別子を動画サイトから取得しているが、視聴者の閲覧端末から取得してもよい。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００８０】
【図１】本発明の動画評価語抽出装置を含む動画評価システムの全体構成を示す図である。
【図２】本発明の第１実施形態における動画評価語抽出装置の構成図である。
【図３】図２及び図１２に示す動画評価語抽出手段の構成図である。
【図４】図３に示すブログ記事記憶部のデータ構造図である。
【図５】図３に示す動画評価語保持部のデータ構造図である。
【図６】図３に示す動画シーン情報記憶部のデータ構造図である。
【図７】図３に示す動画評価語記憶部のデータ構造図である。
【図８】動画評価語抽出装置が実行する処理のフローチャートである。
【図９】図８に示すＳ４ステップのフローチャートである。
【図１０】図１の閲覧端末における動画評価の表示例を示す表示構成図である。
【図１１】本発明の第２実施形態における動画評価語抽出装置の構成図である。
【図１２】動画シーン情報生成装置の構成図である。
【図１３】動画評価語抽出装置１０及び動画シーン情報生成装置として動作するコンピュータのハードウェア構成図である。
【符号の説明】
【００８１】
１  ブログ記事取得手段
２  ブログ記事記憶部
３  動画評価語抽出手段
４  動画評価語記憶部
５  動画評価語出力手段
１０  動画評価語抽出装置
２０  閲覧端末
３１  動画評価語抽出部
３２  動画評価語保持部
３３  動画シーン情報記憶部
３４  動画シーンマッチング部
【手続補正２】
【補正対象書類名】図面
【補正対象項目名】図４
【補正方法】変更
【補正の内容】
【図４】
2010049384.tif 000016
【手続補正３】
【補正対象書類名】図面
【補正対象項目名】図５
【補正方法】変更
【補正の内容】
【図５】
2010049384.tif 000017
【手続補正４】
【補正対象書類名】図面
【補正対象項目名】図６
【補正方法】変更
【補正の内容】
【図６】
2010049384.tif 000018
【手続補正５】
【補正対象書類名】図面
【補正対象項目名】図７
【補正方法】変更
【補正の内容】
【図７】
2010049384.tif 000019
【手続補正６】
【補正対象書類名】図面
【補正対象項目名】図８
【補正方法】変更
【補正の内容】
【図８】
2010049384.tif 000020